【手続補正書】
【提出日】平成29年11月15日(2017.11.15)
【手続補正１】
【補正対象書類名】特許請求の範囲
【補正対象項目名】全文
【補正方法】変更
【補正の内容】
【特許請求の範囲】
【請求項１】
（ａ）３５℃〜６５℃の融点を有する第１のトリグリセリド、
（ｂ）３５℃未満の融点を有する第２のトリグリセリド、
（ｃ）１０〜３６の炭素原子を持つ少なくとも１つの分枝を有し、５０００〜３００，０００の数平均分子量を有する炭化水素可溶性エステル含有ポリマー、
（ｄ）少なくとも１０の炭素原子を有するカルボン二酸またはポリ酸であって、ただし、該二酸またはポリ酸が、隣接する炭素原子上に２つのカルボン酸基を有する二酸である場合、そのときに該二酸が、少なくとも１４の炭素原子を有する、カルボン二酸またはポリ酸、
（ｅ）アルキルアリールスルホン酸の塩であって、該アルキルアリールスルホン酸の塩のアルキル基は、炭化水素油中での該塩の溶解性を提供するのに十分な長さである、アルキルアリールスルホン酸の塩、および
（ｆ）該塩を溶解するのに十分な量の炭化水素油
を含む、コーティング組成物であって、
ここで、前記第１のトリグリセリドおよび前記第２のトリグリセリドが、１：１０〜１０：１の相対重量比で存在し、そして成分（ａ）および（ｂ）、すなわち前記トリグリセリドの総量対（ｃ）、すなわち前記炭化水素可溶性エステル含有ポリマーの相対重量比が、１０００：１〜５：１である、コーティング組成物。
【請求項２】
（ａ）前記第１のトリグリセリドの量が１５〜４０重量％であり、（ｂ）前記第２のトリグリセリドの量が１５〜４０重量％であり、（ｃ）前記炭化水素可溶性エステル含有ポリマーの量が０．５〜１０重量％であり、（ｄ）前記カルボン二酸またはポリ酸の量が２〜６重量％であり、（ｅ）前記塩の量が１５〜４０重量％であり、および（ｆ）前記炭化水素油の量が１０〜３０重量％である、請求項１に記載のコーティング組成物。
【請求項３】
前記炭化水素油に加えて、（ｇ）有機溶媒をさらに含む、請求項１または２に記載のコーティング組成物。
【請求項４】
（ａ）前記第１のトリグリセリドの量が１〜１８重量％であり、（ｂ）前記第２のトリグリセリドの量が１〜１８重量％であり、（ｃ）前記炭化水素可溶性エステル含有ポリマーの量が０．０５〜３重量％であり、（ｄ）前記カルボン二酸またはポリ酸の量が０．１〜３重量％であり、（ｅ）前記塩の量が１〜１８重量％であり、および（ｆ）前記炭化水素油に任意の有機溶媒（ｇ）を加えた量が４０〜９５重量％である、請求項１〜３のいずれか１項に記載のコーティング組成物。
【請求項５】
（ｃ）前記エステル含有ポリマーが、アルキルエステルと酢酸ビニルとの、またはビニル芳香族化合物とのコポリマーを含み、該アルキル基が１２〜２２の炭素原子を含有する、請求項１〜４のいずれかに記載のコーティング組成物。
【請求項６】
（ｃ）前記エステル含有ポリマーのエステル成分が、マレイン酸またはフマル酸の重合エステルの単位を含む、請求項１〜５のいずれか１項に記載のコーティング組成物。
【請求項７】
（ｄ）前記カルボン二酸またはポリ酸が、少なくとも６の炭素原子により隔てられた２つのカルボン酸基を有する、請求項１〜６のいずれか１項に記載のコーティング組成物。
【請求項８】
前記アルキルアリールスルホン酸の前記塩が、カルシウム塩、カリウム塩、バリウム塩、亜鉛塩、マグネシウム塩、もしくはナトリウム塩、またはアミン塩である、請求項１〜７のいずれか１項に記載のコーティング組成物。
【請求項９】
（ｈ）ヒドロカルビル置換フェノール−アルデヒド縮合物をさらに含み、該ヒドロカルビル基が、１０〜３６の炭素原子を含有する、請求項１〜８のいずれか１項に記載のコーティング組成物。
【請求項１０】
（ｉ）１８〜７５の炭素原子を持つ酸化炭化水素ワックスまたはそのエステルをさらに含む、請求項１〜９のいずれか１項に記載のコーティング組成物。
【請求項１１】
抗乳化剤をさらに含む、請求項１〜１０のいずれか１項に記載のコーティング組成物。
【請求項１２】
前記第１のトリグリセリド（ａ）が、３８〜６０℃の融点を有し、そして前記第２のトリグリセリド（ｂ）が、２０〜３０℃の融点を有する、請求項１〜１１のいずれか１項に記載のコーティング組成物。
【請求項１３】
請求項１〜１２のいずれか１項に記載の組成物でコーティングされた金属表面。
【請求項１４】
金属表面に対して保護を提供する方法であって、請求項１〜１２のいずれか１項に記載のコーティング組成物をその表面に塗布することを含む、方法。
【請求項１５】
前記コーティング組成物が揮発性炭化水素溶媒を含み、前記方法が、該溶媒を蒸発させるステップをさらに含む、請求項１４に記載の方法。
【手続補正２】
【補正対象書類名】明細書
【補正対象項目名】００１７
【補正方法】変更
【補正の内容】
【００１７】
開示される技術は、鉄系金属表面に対して錆保護を提供する方法であって、この方法は、上述したコーティング組成物のいずれかをその表面に塗布することを含む方法をさらに提供する。
本発明の実施形態において、例えば以下の項目が提供される。
（項目１）
（ａ）３５℃〜約６５℃の融点を有する第１のトリグリセリド、
（ｂ）３５℃未満の融点を有する第２のトリグリセリド、
（ｃ）約１０〜約３６の炭素原子を持つ少なくとも１つの分枝を有し、約５０００〜約３００，０００の数平均分子量を有する炭化水素可溶性エステル含有ポリマー、
（ｄ）少なくとも１０の炭素原子を有するカルボン二酸またはポリ酸であって、ただし、該二酸またはポリ酸が、隣接する炭素原子上に２つのカルボン酸基を有する二酸である場合、そのときに該二酸が、少なくとも１４の炭素原子を有する、カルボン二酸またはポリ酸、
（ｅ）アルキルアリールスルホン酸の塩であって、該アルキルアリールスルホン酸の塩のアルキル基は、炭化水素油中での該塩の溶解性を提供するのに十分な長さである、アルキルアリールスルホン酸の塩、および
（ｆ）該塩を溶解するのに十分な量の炭化水素油
を含む、コーティング組成物。
（項目２）
前記第１のトリグリセリドおよび前記第２のトリグリセリドが、約１：１０〜約１０：１の相対重量比で存在する、項目１に記載のコーティング組成物。
（項目３）
成分（ａ）および（ｂ）、すなわち前記トリグリセリドの総量対（ｃ）、すなわち前記炭化水素可溶性エステル含有ポリマーの相対重量比が、約１０００：１〜約５：１である、項目１または２に記載のコーティング組成物。
（項目４）
（ａ）前記第１のトリグリセリドの量が約１５〜約４０重量％であり、（ｂ）前記第２のトリグリセリドの量が約１５〜約４０重量％であり、（ｃ）前記炭化水素可溶性エステル含有ポリマーの量が約０．５〜約１０重量％であり、（ｄ）前記カルボン二酸またはポリ酸の量が約２〜約６重量％であり、（ｅ）前記塩の量が約１５〜約４０重量％であり、および（ｆ）前記炭化水素油の量が約１０〜約３０重量％である、項目１〜３のいずれか１項に記載のコーティング組成物。
（項目５）
前記炭化水素油に加えて、（ｇ）有機溶媒をさらに含む、項目１〜４のいずれか１項に記載のコーティング組成物。
（項目６）
前記有機溶媒が、植物油、揮発性炭化水素溶媒、または不揮発性炭化水素溶媒を含む、項目５に記載のコーティング組成物。
（項目７）
（ａ）前記第１のトリグリセリドの量が約１〜約１８重量％であり、（ｂ）前記第２のトリグリセリドの量が約１〜約１８重量％であり、（ｃ）前記炭化水素可溶性エステル含有ポリマーの量が約０．０５〜約３重量％であり、（ｄ）前記カルボン二酸またはポリ酸の量が約０．１〜約３重量％であり、（ｅ）前記塩の量が約１〜約１８重量％であり、および（ｆ）前記炭化水素油に任意の有機溶媒（ｇ）を加えた量が約４０〜約９５重量％である、項目１〜６のいずれか１項に記載のコーティング組成物。
（項目８）
（ａ）および（ｂ）の前記トリグリセリドが、各々独立して硬化植物油を含む、項目１〜７のいずれか１項に記載のコーティング組成物。
（項目９）
少なくとも１つの（ａ）および（ｂ）の前記トリグリセリドが、水素添加されていない、項目１〜７のいずれか１項に記載のコーティング組成物。
（項目１０）
（ｃ）前記エステル含有ポリマーが、アルキルエステルと酢酸ビニルとの、またはビニル芳香族化合物とのコポリマーを含み、該アルキル基が１２〜２２の炭素原子を含有する、項目１〜９のいずれかに記載のコーティング組成物。
（項目１１）
（ｃ）前記エステル含有ポリマーのエステル成分が、マレイン酸またはフマル酸の重合エステルの単位を含む、項目１〜１０のいずれか１項に記載のコーティング組成物。
（項目１２）
（ｄ）前記カルボン二酸またはポリ酸が、少なくとも約６の炭素原子により隔てられた２つのカルボン酸基を有する、項目１〜１１のいずれか１項に記載のコーティング組成物。
（項目１３）
（ｄ）前記カルボン二酸またはポリ酸が、少なくとも約１６の炭素原子を有する、項目１２に記載のコーティング組成物。
（項目１４）
（ｄ）前記カルボン二酸またはポリ酸がダイマー酸である、項目１〜１３のいずれか１項に記載のコーティング組成物。
（項目１５）
前記アルキルアリールスルホン酸の前記塩が金属塩である、項目１〜１４のいずれか１項に記載のコーティング組成物。
（項目１６）
前記金属塩が、カルシウム塩、カリウム塩、バリウム塩、亜鉛塩、マグネシウム塩、またはナトリウム塩である、項目１５に記載のコーティング組成物。
（項目１７）
前記アルキルアリールスルホン酸の前記塩がアミン塩である、項目１〜１４のいずれか１項に記載のコーティング組成物。
（項目１８）
（ｈ）ヒドロカルビル置換フェノール−アルデヒド縮合物をさらに含み、該ヒドロカルビル基が、約１０〜約３６の炭素原子を含有する、項目１〜１７のいずれか１項に記載のコーティング組成物。
（項目１９）
（ｉ）約１８〜約７５の炭素原子を持つ酸化炭化水素ワックスまたはそのエステルをさらに含む、項目１〜１８のいずれか１項に記載のコーティング組成物。
（項目２０）
前記酸化炭化水素ワックスの前記エステルが、メチルエステルまたはブチルエステルである、項目１９に記載のコーティング組成物。
（項目２１）
１つまたはそれを超える炭化水素ワックス、脂肪酸、腐食抑制剤、酸化防止剤、ポリマー膜形成剤、界面活性剤、着色剤、消泡剤、抗乳化剤、またはレオロジー改質剤をさらに含む、項目１〜２０のいずれか１項に記載のコーティング組成物。
（項目２２）
抗乳化剤をさらに含む、項目１〜２０のいずれか１項に記載のコーティング組成物。
（項目２３）
項目１〜２２のいずれか１項に記載の組成物でコーティングされた金属表面。
（項目２４）
鉄系金属表面である、項目２３に記載の金属表面。
（項目２５）
金属表面に対して保護を提供する方法であって、項目１〜２２のいずれか１項に記載のコーティング組成物をその表面に塗布することを含む、方法。
（項目２６）
前記金属表面が鉄系金属表面である、項目２５に記載の方法。
（項目２７）
前記金属表面が、錆または腐食から保護される、項目２５または項目２６に記載の方法。
（項目２８）
前記コーティング組成物が揮発性炭化水素溶媒を含み、前記方法が、該溶媒を蒸発させるステップをさらに含む、項目２５〜２７のいずれかに記載の方法。
（項目２９）
前記コーティング組成物が不揮発性炭化水素溶媒を含み、該溶媒が蒸発によって除去されない、項目２５〜２７のいずれかに記載の方法。